(57)【要約】      （修正有）【課題】カバー体の開放時に、ユーザーが操作パネルを目視することができる画像形成装置を提供する。【解決手段】画像形成装置１は、筐体２と、操作パネル７と、第２カバー体８５と、保持部とを備える。操作パネル７は、筐体２の上面部２１に配置される。第２カバー体８５は、閉位置と第１開放位置８５ｂとの間で開閉可能である。保持部は、第１開放位置８５ｂに第２カバー体８５を保持する。第２カバー体８５は、操作パネル７の一方の側に並べて配置される第２カバー本体と、第２カバー本体の操作パネル７に近い側の端部に位置する第２軸部とを有する。第２カバー本体は、第２軸部を中心に第２軸部の回りを回転可能である。第２カバー本体は、第２カバー体８５が第１開放位置８５ｂに位置する際に、第２カバー体８５が閉位置に位置する際の第２カバー本体に対して鋭角に傾斜する。【選択図】図３
2019020456.tif 000002
【特許請求の範囲】
【請求項１】
記録媒体に画像を形成する画像形成部と、
前記画像形成部を内部に収容する筐体と、
前記筐体の上面部に配置された操作パネルと、
前記筐体に対する閉位置と第１開放位置との間で開閉可能なカバー体と、
前記第１開放位置に前記カバー体を保持する保持部と
を備え、
前記カバー体は、前記操作パネルの一方の側に前記操作パネルと並べて配置されるカバー本体と、前記カバー本体の前記操作パネルに近い側の端部に位置する軸部とを有し、
前記カバー本体は、前記軸部を中心に前記軸部の回りを回転可能であり、
前記カバー体が前記第１開放位置に位置する際に、前記カバー本体は、前記カバー体が前記閉位置に位置する際の前記カバー本体に対して鋭角に傾斜する、画像形成装置。
【請求項２】
前記カバー体が前記第１開放位置に位置する際の前記カバー本体が、前記カバー体が前記閉位置に位置する際の前記カバー本体に対して傾斜する角度は、３０°以上６０°以下である、請求項１に記載の画像形成装置。
【請求項３】
前記保持部は、前記カバー体に設けられた突部と、前記筐体に設けられた係止部とを有し、
前記係止部は、前記カバー体が前記第１開放位置に位置する際に前記突部を係止する第１係止部を有する、請求項１又は請求項２に記載の画像形成装置。
【請求項４】
前記カバー体は、前記第１開放位置を介して前記閉位置と第２開放位置との間で更に開閉可能であり、
前記係止部は、前記カバー体が前記第２開放位置に位置する際に前記突部を係止する第２係止部を更に有する、請求項３に記載の画像形成装置。
【請求項５】
前記突部及び前記係止部のうち少なくとも一方は、弾性を有する、請求項３又は請求項４に記載の画像形成装置。
【発明の詳細な説明】
【技術分野】
【０００１】
本発明は、画像形成装置に関する。
【背景技術】
【０００２】
特許文献１に記載の画像形成装置は、操作パネルと、上壁とを備える。上壁は、中央部と、中央部の前側に並設された前端部とを有する。中央部には、操作パネルが配置される。操作パネルは、ユーザーの操作を受け付ける。また、操作パネルは、各種の画面を表示する。前端部は、開放可能である。特許文献１に記載の画像形成装置では、前端部を開放した後に、例えば、ユーザーによってジャム処理が実行される。
【先行技術文献】
【特許文献】
【０００３】
【特許文献１】特開２０１７−５４０２３号公報
【発明の概要】
【発明が解決しようとする課題】
【０００４】
特許文献１に記載の画像形成装置では、カバー体（前端部）を開放した際に、カバー体が操作パネルの前側で直立する。したがって、カバー体の開放時に、カバー体が操作パネルを遮って、例えば、ユーザーが操作パネルを目視できないおそれがあり、カバー体の開閉については改善の余地がある。
【０００５】
本発明は上記課題に鑑みてなされたものであり、その目的は、カバー体の開放時に、ユーザーが操作パネルを目視することができる画像形成装置を提供することにある。
【課題を解決するための手段】
【０００６】
本発明の画像形成装置は、画像形成部と、筐体と、操作パネルと、カバー体と、保持部とを備える。前記画像形成部は、記録媒体に画像を形成する。前記筐体は、前記画像形成部を内部に収容する。前記操作パネルは、前記筐体の上面部に配置される。前記カバー体は、前記筐体に対する閉位置と第１開放位置との間で開閉可能である。前記保持部は、前記第１開放位置に前記カバー体を保持する。前記カバー体は、カバー本体と、軸部とを有する。前記カバー本体は、前記操作パネルの一方の側に前記操作パネルと並べて配置される。前記軸部は、前記カバー本体の前記操作パネルに近い側の端部に位置する。前記カバー本体は、前記軸部を中心に前記軸部の回りを回転可能である。前記カバー本体は、前記カバー体が前記第１開放位置に位置する際に、前記カバー体が前記閉位置に位置する際の前記カバー本体に対して鋭角に傾斜する。
【発明の効果】
【０００７】
本発明の画像形成装置によれば、カバー体の開放時に、ユーザーが操作パネルを目視することができる。
【図面の簡単な説明】
【０００８】
【図１】本発明の実施形態に係る画像形成装置の構成を示す図である。
【図２】本発明の実施形態に係る画像形成装置を示す斜視図である。
【図３】本発明の実施形態に係る第２カバー体の第１開放位置を示す図である。
【図４】本発明の実施形態に係る第２カバー体の第２開放位置を示す図である。
【図５】本発明の実施形態に係る筐体の上面部を示す図である。
【図６】本発明の実施形態に係る係止部を示す斜視図である。
【図７】図５に示すＡ部分の拡大図である。
【図８】（ａ）から（ｃ）は、本発明の実施形態に係る第２カバー体及び保持部を示す図である。
【発明を実施するための形態】
【０００９】
以下、図面を参照して本発明の実施形態を説明する。ただし、本発明は以下の実施形態に限定されない。なお、図中、同一又は相当部分については、同一の参照符号を付して説明を繰り返さない。
【００１０】
図１を参照して、本発明の実施形態に係る画像形成装置１について説明する。図１は、本実施形態に係る画像形成装置１の構成を示す図である。図１に示すように、画像形成装置１は、印刷機である。画像形成装置１は、シートＳに画像を形成する。
【００１１】
シートＳは、本発明の記録媒体の一例である。シートＳは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１２】
画像形成装置１は、筐体２と、給紙部３と、画像形成部４と、定着部５と、排出トレイ６と、操作パネル７と、開閉部８とを備える。筐体２は、箱状に形成される。筐体２は、給紙部３と、画像形成部４と、定着部５とを内部に収容する。また、筐体２は、上面部２１を有する。上面部２１には、排出トレイ６、及び操作パネル７が配置される。
【００１３】
操作パネル７は、画像形成装置１を操作する操作者の操作を受け付ける。具体的には、操作パネル７は、表示部７１と、操作部７２とを有する。操作部７２は、操作者の操作に対応する操作信号を生成する。操作者の操作は、例えば、画像形成装置１の各種設定を含む。
【００１４】
図１において、表示部７１に対して操作部７２が配置される側を画像形成装置１の前方とし、前後方向を規定する。また、前方から操作パネル７に向かって左側を画像形成装置１の左方とし、左右方向を規定する。また、前後方向及び左右方向に直交する方向を上下方向と規定する。
【００１５】
表示部７１は、各種の画面を表示する。本実施形態において、表示部７１は、前方に向かって各種の画面を表示する。表示部７１は、例えば、液晶ディスプレーを含む。なお、表示部７１は、タッチパネル機能を有する場合に、操作部７２としても機能する。
【００１６】
給紙部３は、少なくとも１枚のシートＳを給紙する。詳しくは、給紙部３は、少なくとも１つの給紙カセット３１を有する。給紙カセット３１には、複数のシートＳが載置され得る。給紙カセット３１は、シートＳの搬送方向の下流側に向かってシートＳを給紙する。
【００１７】
画像形成部４は、像担持体４１と、帯電部４２と、露光部４３と、現像部４４と、転写部４５とを有する。画像形成部４は、給紙部３から給紙されるシートＳにトナー画像を形成する。定着部５は、シートＳにトナー画像を定着させる。トナー画像が定着されたシートＳは、排出トレイ６に排出される。
【００１８】
開閉部８は、筐体２に対して開閉可能である。開閉部８は、筐体２の前面に形成された第１開口と、筐体２の上面の前端部に形成された第２開口とを覆う。第２開口は、第１開口に連ねて形成される。開閉部８は、第１カバー体８１と、第２カバー体８５とを有する。
【００１９】
第１カバー体８１は、筐体２の前面に配置される。第１カバー体８１は、筐体２の前面において、給紙カセット３１の上側に配置される。第１カバー体８１は、筐体２の第１開口を覆う。第１カバー体８１は、第１カバー本体８２と、第１軸部８３とを有する。
【００２０】
第１カバー本体８２は、板状に形成される。第１軸部８３は、第１カバー本体８２の下端部に設けられる。第１軸部８３は、筐体２に軸支される。したがって、第１カバー本体８２は、第１軸部８３を中心に第１軸部８３の回りを回転可能である。この結果、第１カバー体８１は、第１カバー体８１の下端部に位置する軸心回りで、筐体２に対して開閉可能である。
【００２１】
第２カバー体８５は、本発明のカバー体の一例である。第２カバー体８５は、筐体２の上面に配置される。第２カバー体８５は、筐体２の上面において、操作パネル７の前側に操作パネル７と並べて配置される。第２カバー体８５は、筐体２の第２開口を覆う。第２カバー体８５は、第２カバー本体８６と、第２軸部８７とを有する。
【００２２】
第２カバー本体８６は、本発明のカバー本体の一例である。第２カバー本体８６は、板状に形成される。第２カバー本体８６は、操作パネル７の前側に操作パネル７と水平方向に並べて配置される。
【００２３】
第２軸部８７は、本発明の軸部の一例である。第２軸部８７は、第２カバー本体８６の操作パネル７に近い側の端部に位置する。本実施形態において、第２軸部８７は、第２カバー本体８６の後端部に設けられる。第２軸部８７は、筐体２に軸支される。したがって、第２カバー本体８６は、第２軸部８７を中心に第２軸部８７の回りを回転可能である。この結果、第２カバー体８５は、第２カバー体８５の後端部に位置する軸心回りで、筐体２に対して開閉可能である。
【００２４】
次に、図２から図４を参照して、第２カバー体８５の開閉について説明する。図２は、画像形成装置１を示す斜視図である。図２において、開閉部８は閉じた状態であり、第２カバー体８５は閉位置８５ａに位置する。
【００２５】
図２に示すように、第２カバー体８５が閉位置８５ａに位置する際に、第２カバー体８５の前端部は、第１カバー体８１の上端部と当接する。本実施形態において、第２カバー体８５は、第１カバー体８１が開放された後に、開放可能となる。第２カバー体８５は、例えば、ユーザーによって開放される。
【００２６】
図３は、第２カバー体８５の第１開放位置８５ｂを示す図である。図３に示すように、第２カバー体８５は、図２に示す閉位置８５ａと第１開放位置８５ｂとの間で開放可能である。第１カバー体８１及び第２カバー体８５は、例えば、紙詰まりの際のジャム処理時、又はトナーの交換時に開放される。
【００２７】
第２カバー本体８６は、第２カバー体８５が第１開放位置８５ｂに位置する際に、第２カバー体８５が閉位置８５ａに位置する際の第２カバー本体８６に対して鋭角に傾斜する。この結果、第２カバー体８５は、第１開放位置８５ｂに位置する際に、表示部７１を遮らない。
【００２８】
図４は、第２カバー体８５の第２開放位置８５ｃを示す図である。図４に示すように、第２カバー体８５は、図３に示す第１開放位置８５ｂを介して図１に示す閉位置８５ａと第２開放位置８５ｃとの間で更に開放可能である。第２カバー体８５は、ユーザーによって、第１開放位置８５ｂから第２開放位置８５ｃまで更に開放される。
【００２９】
本実施形態の画像形成装置１では、第２カバー体８５が第２開放位置８５ｃに位置する際に、第２カバー体８５が操作パネル７を遮って、ユーザーが操作パネル７を目視することが困難である。また、第２カバー体８５が第２開放位置８５ｃに位置する際に、第２カバー体８５が操作パネル７を遮って、ユーザーが操作パネル７を操作することが困難である。
【００３０】
以上、図１から図４を参照して説明したように、本実施形態の画像形成装置１では、第２カバー体８５が第１開放位置８５ｂに位置する際に、第２カバー体８５が操作パネル７を遮らない。したがって、第２カバー体８５を第１開放位置８５ｂまで開放した際に、ユーザーは操作パネル７を容易に目視することができる。換言すると、ユーザーは、ジャム処理又はトナー交換のような作業を実施する際に、表示部７１が表示する画面を確認することができる。よって、表示部７１が表示する画面に、例えば、作業の手順のような作業工程が示される場合に、ユーザーは、作業を効率的に実施することができる。また、第２カバー体８５を第１開放位置８５ｂまで開放した際に、ユーザーは操作パネル７を容易に操作することができる。この結果、ユーザーは、操作部７２を操作して、例えば、作業工程を示す複数の画面を表示部７１に順次表示させることができる。
【００３１】
次に、図３から図７を参照して、保持部９の構成について説明する。図５は、筐体２の上面部２１を示す図である。詳しくは、図５は、上面部２１の底面を示す斜視図である。
【００３２】
図５に示すように、画像形成装置１は、保持部９を更に備える。保持部９は、第２カバー体８５を図３に示す第１開放位置８５ｂ及び図４に示す第２開放位置８５ｃに保持する。保持部９は、筐体２の上面部２１に設けられた係止部９１を有する。本実施形態において、係止部９１は、上面部２１の前端側底面に取り付けられる。
【００３３】
図６は、係止部９１を示す斜視図である。係止部９１は、本体部９２と、第１係止部９３と、第２係止部９４とを有する。係止部９１は、例えば、ポリアセタールのような樹脂材料によって形成され得る。
【００３４】
本体部９２は、板状に形成される。したがって、樹脂材料によって形成された場合、本体部９２は、弾性を有する。本体部９２は、互いに平行な一対の平面部９２ｃ、９２ｄと、互いに平行な３つの曲面部９２ｅとを有する。３つの曲面部９２ｅはそれぞれ一対の平面部９２ｃ、９２ｄを連結する。各曲面部９２ｅは薄板状に形成される。一方の平面部９２ｃには、ビス穴９２ａが形成される。また、他方の平面部９２ｄには、スリット９２ｂが形成される。
【００３５】
本実施形態において、係止部９１は、２つの第１係止部９３を有する。各第１係止部９３は、３つの曲面部９２ｅのうち、各曲面部９２ｅの長手方向に直交する方向の両側に配置された２つの曲面部９２ｅにそれぞれ形成される。各第１係止部９３は、対応する曲面部９２ｅの円弧の中心方向側に突出するように、対応する曲面部９２ｅと同じ幅で突状に形成される。また、各第１係止部９３の先端部は、円弧形状を有する。第２係止部９４は、３つの曲面部９２ｅのうち、各曲面部９２ｅの長手方向に直交する方向の中央に配置された１つの曲面部９２ｅに形成される。第２係止部９４は、対応する曲面部９２ｅ（中央の曲面部９２ｅ）の円弧の中心方向側に突出するように、対応する曲面部９２ｅと同じ幅で突状に形成される。また、第２係止部９４の先端部は、円弧形状を有する。第２係止部９４は、第１係止部９３よりも本体部９２の一方の平面部９２ｃに近い位置に形成される。
【００３６】
図７は、図５に示すＡ部分の拡大図である。詳しくは、図７は、上面部２１に係止部９１を固定する前の状態を示す。図７に示すように、係止部９１を上面部２１に取り付ける際には、まず、上面部２１に形成された突条２１ｃに係止部９１のスリット９２ｂを係合させる。この後、係止部９１のビス穴９２ａに固定部材を挿し込むことにより、係止部９１を上面部２１に固定する。この結果、係止部９１は、突条２１ｃに沿って他方の平面部９２ｄが移動するように本体部９２が弾性変形可な状態で上面部２１に取り付けられる。なお、固定部材は、例えば、ビスである。
【００３７】
次に、図８（ａ）を参照して、保持部９の構成について更に説明する。図８（ａ）は、第２カバー体８５及び保持部９を示す図である。図８（ａ）に示す第２カバー体８５は、閉位置８５ａに位置する。
【００３８】
図８（ａ）に示すように、保持部９は、第２カバー本体８６に形成された突部９５を更に有する。詳しくは、突部９５は、第２カバー本体８６の後端部に形成される。具体的には、第２カバー本体８６は、湾曲部８６ａを有する。湾曲部８６ａは、第２カバー体８５が閉位置８５ａに位置する際に、第２カバー本体８６の後端部の裏面側から後方へ湾曲して突出する。突部９５は、湾曲部８６ａの先端付近から、湾曲部８６ａの円弧の中心方向側に直線状に延びる。突部９５の先端部は、第２軸部８７を中心に回転するように筐体２と連結する。第２カバー本体８６は、突部９５とともに第２軸部８７を中心に第２軸部８７の回りを回転するように形成される。突部９５は、突起９６を有する。突起９６は、係止部９１に向かって突出する。本実施形態において、突起９６は、突部９５の先端に形成される。より具体的には、突部９５は、第２軸部８７の軸方向における係止部９１の幅と同じ幅を有し、突起９６は、突部９５の幅と同じ幅を有する。また、突起９６の先端部は、円弧形状を有する。突起９６は、第２カバー体８５の開放時に第１係止部９３又は第２係止部９４に係止される。
【００３９】
次に、図８（ａ）から図８（ｃ）を参照して、第２カバー体８５の開閉について更に説明する。図８（ｂ）及び図８（ｃ）の各々は、第２カバー体８５及び保持部９を示す図である。図８（ｂ）に示す第２カバー体８５は、第１開放位置８５ｂに位置する。図８（ｃ）に示す第２カバー体８５は、第２開放位置８５ｃに位置する。なお、図８（ｂ）及び図８（ｃ）に示す矢印Ｄ１は、第２カバー体８５を開放する際に第２カバー本体８６が回転する方向を示す。
【００４０】
図８（ａ）に示すように、第２カバー体８５が閉位置８５ａに位置する際に、係止部９１は、突部９５を係止しない。具体的には、第２カバー体８５が閉位置８５ａに位置する際に、係止部９１は、突起９６を係止しない。第２カバー体８５は、例えば、自重によって、閉位置８５ａに位置する。第２カバー体８５が閉位置８５ａに位置する際に、突起９６は第１係止部９３に対して平面部９２ｄ側に位置する。
【００４１】
図８（ｂ）に示すように、第２カバー体８５が閉位置８５ａから第１開放位置８５ｂまで開放される際に、係止部９１と突部９５（突起９６）との当接によって係止部９１が弾性変形する。この結果、突起９６は、第１係止部９３を乗り越えて、第１係止部９３によって係止される。換言すると、突部９５が、第１係止部９３によって係止される。したがって、保持部９によって第２カバー体８５が第１開放位置８５ｂに保持される。また、第２カバー体８５が第１開放位置８５ｂに位置したことを示すクリック感をユーザーに与えることができる。
【００４２】
第１開放位置８５ｂに位置する第２カバー体８５が、筐体２の上面部２１に対して傾斜する角度は、３０°以上６０°以下である。この結果、第２カバー体８５は、第１開放位置８５ｂに開放された際に、第２カバー体８５の後方に位置する表示部７１（図１及び図３を参照）を遮らない。典型的には、第１開放位置８５ｂに位置する第２カバー体８５が、上面部２１に対して傾斜する角度は、４５°である。
【００４３】
図８（ｃ）に示すように、第２カバー体８５が第１開放位置８５ｂから第２開放位置８５ｃまで開放される際に、係止部９１と突部９５（突起９６）との当接によって係止部９１が弾性変形する。この結果、突起９６は、第２係止部９４を乗り越えて、第２係止部９４によって係止される。換言すると、突部９５が、第２係止部９４によって係止される。したがって、保持部９によって、第２カバー体８５が第２開放位置８５ｃに保持される。また、第２カバー体８５が第２開放位置８５ｃに位置したことを示すクリック感をユーザーに与えることができる。
【００４４】
本実施形態において、第２開放位置８５ｃに位置する第２カバー体８５が、筐体２の上面部２１に対して傾斜する角度は、９０°である。この結果、開閉部８がより大きく開放され、例えば、筐体２の後端側でのジャム処理を容易に実施することができる。
【００４５】
以上、図１から図８を参照して、本発明の実施形態に係る画像形成装置１について説明した。但し、本発明は、上記の実施形態に限られるものではなく、その要旨を逸脱しない範囲で種々の態様において実施することが可能である。
【００４６】
例えば、本発明の実施形態では、係止部９１が弾性を有していたが、本発明はこれに限定されない。第２カバー体８５が第１開放位置８５ｂ又は第２開放位置８５ｃに位置する際に、係止部９１は、突部９５を係止すればよい。例えば、突部９５が係止部９１に替えて弾性を有してもよい。また、例えば、係止部９１及び突部９５の両部が弾性を有してもよい。いずれの場合であっても、第２カバー体８５が第１開放位置８５ｂ又は第２開放位置８５ｃに位置する際に、係止部９１は、突部９５を係止し得る。
【００４７】
また、本発明の実施形態では、画像形成装置１は、印刷機であったが、本発明は、これに限定されない。画像形成装置１は、シートＳに画像を形成すればよい。画像形成装置１は、例えば、複合機であってもよい。複合機は、例えば、コピー機能、プリンター機能、及びファクシミリ機能のうちの少なくとも２つの機能を有する。
【００４８】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００４９】
本発明は、記録媒体に画像を形成し得る画像形成装置に関するものであり、操作パネルの前側に並べて配置されたカバー体の開閉に有用である。
【符号の説明】
【００５０】
１        画像形成装置
２        筐体
４        画像形成部
７        操作パネル
９        保持部
７１      表示部
８５      第２カバー体
８５ａ    閉位置
８５ｂ    第１開放位置
８６      第２カバー本体
８７      第２軸部
Ｓ        シート
【図１】
2019020456.tif 000003
【図２】
2019020456.tif 000004
【図３】
2019020456.tif 000005
【図４】
2019020456.tif 000006
【図５】
2019020456.tif 000007
【図６】
2019020456.tif 000008
【図７】
2019020456.tif 000009
【図８】
2019020456.tif 000010